(57)【要約】【課題】１つの入力電圧に対して少なくとも２つ以上の出力電圧を出力する構成において、これら出力電圧の同期をとることができる電源回路及び電圧生成回路を提供する。【解決手段】電源回路１は第１ＤＣ−ＤＣコンバータ回路２と第２ＤＣ−ＤＣコンバータ回路３とを備えている。また、電源回路１は１つの入力電圧に対して２つの出力電圧を出す２系統出力回路であり、電源回路１に入力電圧Ｖｉｎが印可されると第１ＤＣ−ＤＣコンバータ回路２は出力電圧Ｖ１を出力し、第２ＤＣ−ＤＣコンバータ回路３は出力電圧Ｖ２（＜Ｖ１）を出力する。第２ＤＣ−ＤＣコンバータ回路３は第１ＤＣ−ＤＣコンバータ回路２の出力電圧Ｖ１を同期信号Ｓとして入力し、その同期信号Ｓに基づき駆動する。【選択図】　　　　図１
2004129333.tif 000002
【特許請求の範囲】
【請求項１】
１つの入力電圧を各々異なる値の出力電圧に変圧して出力する複数の電圧生成手段を備えた複数出力系統を有する電源回路において、
前記電圧生成手段は、前記入力電圧を第１出力電圧に変圧する第１電圧生成手段と、前記第１電圧生成手段からの前記第１出力電圧を同期信号として入力し、前記同期信号に基づき駆動して前記入力電圧を前記第１出力電圧と同期した第２出力電圧に変圧する第２電圧生成手段とを備えたことを特徴とする電源回路。
【請求項２】
前記第２電圧生成手段は前記入力電圧を前記第２出力電圧として出力するためにスイッチング駆動するスイッチング素子を備え、前記同期信号は前記スイッチング素子に入力されることを特徴とする請求項１に記載の電源回路。
【請求項３】
前記第２電圧生成手段は直流の前記入力電圧をスイッチング駆動により変圧するドライブ回路と、前記ドライブ回路が前記第２出力電圧をするように該ドライブ回路のスイッチング駆動を制御する定電圧制御回路とを備えた非絶縁型であり、
前記ドライブ回路及び定電圧制御回路は前記同期信号に基づき駆動することを特徴とする請求項１又は２に記載の電源回路。
【請求項４】
前記第１電圧生成手段及び第２電圧生成手段には、これらを同一駆動源とする複数の集積回路が接続された構成であって、
前記集積回路は、２つの前記出力電圧が印加される端子間に保護用素子を内蔵した第１集積回路と、２つの前記出力電圧のうち高電圧側がＩ／Ｏ系の電源で低電圧側がロジック系の電源である第２集積回路とからなることを特徴とする請求項１〜３のうちいずれか一項に記載の電源回路。
【請求項５】
１つの入力電圧を他の部品である電圧生成手段と共有し、前記入力電圧を変圧して出力する電圧生成回路において、
前記電圧生成手段が変圧して出力する第１出力電圧を同期信号として入力し、前記同期信号に基づき駆動して前記入力電圧を前記第１出力電圧と同期した第２出力電圧に変圧することを特徴とする電圧生成回路。
【発明の詳細な説明】
【０００１】
【発明の属する技術分野】
本発明は、１つの入力に対して出力電圧の異なる２つ以上の出力系統を有する電源回路及び電圧生成回路に関するものである。
【０００２】
【従来の技術】
従来から、１つの入力に対して出力電圧の異なる２つ以上の出力系統を有する電源回路が各種提案されている。図５は、その一例の電源回路５１の概略構成図である。電源回路５１は２つのＤＣ−ＤＣコンバータ回路５２，５３を備え、これらコンバータ回路５２，５３の出力側にはＡＳＩＣ５４が接続されている。そして、電源回路５１に入力電圧Ｖｉｎが印加されると、第１ＤＣ−ＤＣコンバータ回路５２は出力電圧Ｖ１を、第２ＤＣ−ＤＣコンバータ回路５３は出力電圧Ｖ２（＜Ｖ１）をＡＳＩＣ５４に出力している。なお、該当する先行技術文献情報を提示していないが、上記内容は公知・公用の技術である。
【０００３】
【発明が解決しようとする課題】
ところで、ＡＳＩＣ５４はその種類によってＶ１−Ｖ２間に静電気保護用ダイオードが内蔵されているものや、Ｖ１をＩ／Ｏ系の電源、Ｖ２をロジック系の電源とするものがある。前者のＡＳＩＣではＶ２がＶ１よりも先に立ち上がるとそのダイオードに大電流が流れてしまうので、Ｖ１をＶ２よりも先又は同時に立ち上げる必要ある。また、後者のＡＳＩＣではロジック系が不定の状態でＩ／Ｏ系に電圧がかかると貫通電流が流れるおそれがあるので、Ｖ１をＶ２よりも同時又は後に立ち上げる必要がある。
【０００４】
ここで、これらＡＳＩＣの電源をともに電源回路５１からとる場合、両方のＡＳＩＣに不具合に不具合を生じなくさせるには、出力電圧Ｖ１，Ｖ２を同時に立ち上げる必要がある。しかし、第１ＤＣ−ＤＣコンバータ回路５２や第２ＤＣ−ＤＣコンバータ回路５３の内部素子の定数の違い等によって出力電圧Ｖ１，Ｖ２が同時に立ち上がらず、上記した不具合を解消できない問題があった。このため、これらＡＳＩＣにはそれぞれ個別の電源回路を用意する必要があり、電源回路の部品点数増加を招く問題もあった。
【０００５】
本発明は前記の問題点に鑑みてなされたものであって、その目的は１つの入力電圧に対して少なくとも２つ以上の出力電圧を出力する構成において、これら出力電圧の同期をとることができる電源回路及び電圧生成回路を提供することにある。
【０００６】
【課題を解決するための手段】
前記の目的を達成するため本発明によれば、１つの入力電圧を各々異なる値の出力電圧に変圧して出力する複数の電圧生成手段を備えた複数出力系統を有する電源回路において、前記電圧生成手段は、前記入力電圧を第１出力電圧に変圧する第１電圧生成手段と、前記第１電圧生成手段からの前記第１出力電圧を同期信号として入力し、前記同期信号に基づき駆動して前記入力電圧を前記第１出力電圧と同期した第２出力電圧に変圧する第２電圧生成手段とを備えた構成とする。
【０００７】
この構成によれば、例えば入力電源が印加されると第１電圧生成手段が駆動を開始し第１出力電圧を出力する。このとき、第１出力電圧が同期信号として第２電圧生成手段に入力され、第２電圧生成手段が同期信号に基づき駆動を開始し第２出力電圧を出力する。このため、第２電圧生成手段は第１電圧生成手段とほぼ同時に立ち上がり、第１電圧生成手段と第２電圧生成手段と出力電圧の同期をとることが可能になる。
【０００８】
本発明によれば、前記第２電圧生成手段は前記入力電圧を前記第２出力電圧として出力するためにスイッチング駆動するスイッチング素子を備え、前記同期信号は前記スイッチング素子に入力される構成とする。この構成によれば、スイッチグ素子に同期信号が流れるとスイッチング素子がオンして第２電圧生成手段が駆動を開始し、そのスイッチング素子がスイッチング駆動されて第２電圧生成手段から第２出力電圧が出力される。
【０００９】
本発明によれば、前記第２電圧生成手段は直流の前記入力電圧をスイッチング駆動により変圧するドライブ回路と、前記ドライブ回路が前記第２出力電圧をするように該ドライブ回路のスイッチング駆動を制御する定電圧制御回路とを備えた非絶縁型であり、前記ドライブ回路及び定電圧制御回路は前記同期信号に基づき駆動する構成とする。この発明によれば、第２電圧生成手段が非絶縁型であっても第１電圧生成手段との同期がとれる。
【００１０】
本発明によれば、前記第１電圧生成手段及び第２電圧生成手段には、これらを同一駆動源とする複数の集積回路が接続された構成であって、前記集積回路は、２つの前記出力電圧が印加される端子間に保護用素子を内蔵した第１集積回路と、２つの前記出力電圧のうち高電圧側がＩ／Ｏ系の電源で低電圧側がロジック系の電源である第２集積回路とからなる構成とする。
【００１１】
この構成によれば、第１集積回路では保護用素子に大電流が流れないようにするために、２つの出力電圧が印加される端子のうち高い側を低い側よりも先か又は同時に立ち上げる必要がある。また、第２集積回路では貫通電流が流れないようにするために、Ｉ／Ｏ系の電源をロジック系よりも同時又は後に立ち上げる必要がある。
【００１２】
ここで、電源回路を第１及び第２集積回路の共通電源として用いる場合、上記問題を生じなくするためには、第１出力電圧及び第２出力電圧を同時に立ち上げる必要がある。しかし、電源回路の第１及び第２電圧生成手段は同時に立ち上がる構成であるので、第１及び第２集積回路に同じ電源回路を用いた場合であっても上記問題は生じなくなる。
【００１３】
【発明の実施の形態】
以下、本発明をプリンタに搭載される電源回路に具体化した一実施形態を図１〜図３に従って説明する。
【００１４】
図１は、電源回路１の概略構成図である。電源回路１は例えばプリンタ等の電源基板に搭載され、第１ＤＣ−ＤＣコンバータ回路２と第２ＤＣ−ＤＣコンバータ回路３とを備えている。これら第１ＤＣ−ＤＣコンバータ回路２及び第２ＤＣ−ＤＣコンバータ回路３は、ともに降圧・非絶縁型コンバータ回路である。ここで降圧型とは出力電圧が入力電圧より低くなるタイプで、非絶縁型とは入力と出力がトランスにより絶縁されていないタイプである。
【００１５】
また、電源回路１は１つの入力電圧に対して２つの出力電圧を出す２系統出力回路である。電源回路１は入力電圧よりも低い値の出力電圧を出す降圧型であり、電源回路１に入力電圧Ｖｉｎが印可されると第１ＤＣ−ＤＣコンバータ回路２は出力電圧（第１出力電圧）Ｖ１を出力し、第２ＤＣ−ＤＣコンバータ回路３は出力電圧（第２出力電圧）Ｖ２（＜Ｖ１）を出力する。
【００１６】
第１及び第２ＤＣ−ＤＣコンバータ回路２，３の出力側には第１ＡＳＩＣ４及び第２ＡＳＩＣ５各々接続されている。これらＡＳＩＣ４，５は電源回路１から出力される２つの出力電圧Ｖ１，Ｖ２を駆動源とし、ＣＰＵ（図示省略）からの指令に基づきプリンタを駆動する回路である。第１ＡＳＩＣ４はＶ１−Ｖ２間に静電気保護用ダイオード４ａが内蔵されている。一方、第２ＡＳＩＣ５はＩ／Ｏ系が出力電圧Ｖ１を電源とし、ロジック系が出力電圧Ｖ２を電源としている。
【００１７】
図３は、電源回路１の回路図である。第１ＤＣ−ＤＣコンバータ回路２を以下に詳述すると、＋側入力端子６と＋側出力端子７との間にはＰＮＰ型トランジスタ８及びコイル９が直列に接続されている。トランジスタ８のベースとＧＮＤとの間にはＮＰＮ型トランジスタ１０及び抵抗１１が直列に接続されている。コイル９の出力側とトランジスタ１０のエミッタとの間にはダイオード１２が順方向に接続されている。
【００１８】
トランジスタ８のエミッタとトランジスタ１０のベースとの間には逆方向のツェナーダイオード１３及び抵抗１４が直列に接続されている。このツェナーダイオード１３は入力電圧Ｖｉｎの立ち上がり最中に、所定の電圧値をとったときに逆電流を流す素子である。このため、入力電圧Ｖｉｎを投入したときには、ツェナーダイオード１３によって低電圧での立ち上がりが防止され、安定した出力電圧Ｖ１の出力が行える。
【００１９】
また、＋側入力端子６とＧＮＤとの間にはコンデンサ１５が、＋側出力端子７とＧＮＤとの間にはコンデンサ１６が各々接続されている。コイル９の入力側とＧＮＤとの間にはダイオード１７が逆方向に接続されている。ここで、トランジスタ８，１０、コイル９、抵抗１１，１４、ダイオード１２及びツェナーダイオード１３は、入力電圧Ｖｉｎをスイッチ制御してＶ１の値の出力電圧を出力するドライブ回路１８を構成している。
【００２０】
さらに、トランジスタ１０のベースとＧＮＤとの間にはシャントレギュレータ１９及び抵抗２０が直列に接続されている。シャントレギュレータ１９は第１ＤＣ−ＤＣコンバータ回路２が出力電圧Ｖ１を出す値に設定されている。また、シャントレギュレータ１９はリファレンスとアノードとの間のリファレンス電圧が所定電圧以上となったとき、カノード側からアノード側に逆電流を流す素子である。
【００２１】
シャントレギュレータ１９のアノードとダイオード１７のカソードとの間には抵抗２１が接続されている。ダイオード１２のアノードとＧＮＤとの間には抵抗２２，２３が直列に接続されている。ここで、シャントレギュレータ１９及び抵抗２０〜２３は、安定した値の出力電圧Ｖ１を出力するための定電圧制御回路２４を構成している。
【００２２】
一方、第２ＤＣ−ＤＣコンバータ回路３は自励式であり、第１ＤＣ−ＤＣコンバータ回路２とほぼ同様の構成となっている。以下に詳述すると、＋側入力端子６と＋側出力端子２５との間にはＰＮＰ型トランジスタ２６及びコイル２７が直列に接続されている。トランジスタ２６のベースとＧＮＤとの間にはスイッチング素子としてのＮＰＮ型トランジスタ２８及び抵抗２９が直列に接続されている。コイル２７の出力側とトランジスタ２８のエミッタとの間にはダイオード３０が順方向に接続され、トランジスタ２８のベースには抵抗３１が接続されている。
【００２３】
また、＋側入力端子６とＧＮＤとの間にはコンデンサ３２が、＋側出力端子２５とＧＮＤとの間にはコンデンサ３３が各々接続されている。コイル２７の入力側とＧＮＤとの間にはダイオード３４が逆方向に接続されている。ここで、トランジスタ２６，２８、コイル２７、抵抗２９，３１、ダイオード３０は、入力電圧Ｖｉｎをスイッチ制御してＶ２の値の出力電圧を出力するドライブ回路３５を構成している。
【００２４】
さらに、トランジスタ２８のベースとＧＮＤとの間にはシャントレギュレータ３６及び抵抗３７が直列に接続されている。シャントレギュレータ３６は第２ＤＣ−ＤＣコンバータ回路３が出力電圧Ｖ２を出す値に設定されている。シャントレギュレータ３６のアノードとダイオード３４のカソードとの間には抵抗３８が接続されている。ダイオード３０のアノードとＧＮＤとの間には抵抗３９，４０が直列に接続されている。ここで、シャントレギュレータ３６及び抵抗３７〜４０は、安定した値の出力電圧Ｖ２を出力するための定電圧制御回路４１を構成している。
【００２５】
トランジスタ２８のベース及びシャントレギュレータ３６のカソードには、抵抗３１を介して第１ＤＣ−ＤＣコンバータ回路２の＋側出力端子７が接続されている。このため、電源回路１に入力電圧Ｖｉｎが印加されたとき、第１ＤＣ−ＤＣコンバータ回路２の出力電圧Ｖ１に応じて＋側出力端子から流れ出す電流が、同期信号Ｓとして第２ＤＣ−ＤＣコンバータ回路３のトランジスタ２８のベース及びシャントレギュレータ３６のカソードに流れ込む。
【００２６】
次に、本例の電源回路１の作用について説明する。まず、電源回路１に図２（ａ）に示す波形の入力電圧Ｖｉｎが印加されてツェナーダイオード１３に逆電流が流れると、抵抗１４にも電流が流れてトランジスタ１０がオンし、そのトランジスタオンによってトランジスタ８もオンする。トランジスタ８がオンするとコイル９及びコンデンサ１６に電流が流れて、コンデンサ１６間の電圧が上昇する。
【００２７】
そして、コンデンサ１６の電圧が上昇してシャントレギュレータ１９のリファレンスとＧＮＤとの電圧値が所定値に達すると、シャントレギュレータ１９のカソードに電流が流れ込む。すると、トランジスタ１０のベース電流が不足してトランジスタ１０がオフし、このトランジスタオフによってトランジスタ８もオフする。
【００２８】
トランジスタ８がオフするとコイル９に逆起電力が発生し、これによってシャントレギュレータ１９のリファレンスとＧＮＤとの電圧が所定値を更に超えて、トランジスタ８はより深くオフする。トランジスタ８がオフすると、コンデンサ１６に蓄えられた電流が出力側に流れるが、電流の減少に伴い電圧が徐々に低下していく。
【００２９】
この電圧低下に伴いシャントレギュレータ１９のリファレンスとＧＮＤとの電圧も徐々に低下し、その電圧値が所定値を下回ると、シャントレギュレータ１９のカソードに電流が流れなくなり、再びトランジスタ２８がオンしてトランジスタ８がオンする。そして、トランジスタ８がこのオンオフ動作を繰り返し、コンデンサ１６を電圧リップルにより発振させることで、第１ＤＣ−ＤＣコンバータ回路２から図２（ｂ）に示す波形の出力電圧Ｖ１が出力される。
【００３０】
一方、出力電圧Ｖ１は同期信号Ｓとして抵抗３１を介してトランジスタ２８に印加され、このとき生じる出力電流は第２ＤＣ−ＤＣコンバータ回路３のトランジスタ２８のベース及びシャントレギュレータ３６のカソードに流れ込む。そして、この出力電流によってトランジスタ２８がオンし、そのトランジスタオンによってトランジスタ２６がオンする。これにより、第２ＤＣ−ＤＣコンバータ回路３の出力電圧Ｖ２は第１ＤＣ−ＤＣコンバータ回路２の出力電圧Ｖ１と同期して立ち上がる。
【００３１】
そして、第１ＤＣ−ＤＣコンバータ回路２と同様にトランジスタ２６がこのオンオフ動作を繰り返し、コンデンサ３３を電圧リップルにより発振させることで、第２ＤＣ−ＤＣコンバータ回路３から図２（ｃ）に示す波形の出力電圧Ｖ２が出力される。一方、入力電圧Ｖｉｎが印加されなくなると出力電圧Ｖ１が「０」となる。よって、第１ＤＣ−ＤＣコンバータ回路２から第２ＤＣ−ＤＣコンバータ回路３へ流れる出力電流も「０」となり、第２ＤＣ−ＤＣコンバータ回路３はトランジスタ２６がオフされて第１ＤＣ−ＤＣコンバータ回路２と同期して立ち下がる。
【００３２】
本例では、第１ＤＣ−ＤＣコンバータ回路２から出力される出力電圧Ｖ１を、第２ＤＣ−ＤＣコンバータ回路３が同期信号Ｓとして取り込み、その出力電圧Ｖ１に基づき第２ＤＣ−ＤＣコンバータ回路３を駆動させる構成とした。従って、第１ＤＣ−ＤＣコンバータ回路２と第２ＤＣ−ＤＣコンバータ回路３とをほぼ同期して立ち上げ及び立ち下げることが可能となる。
【００３３】
特に、第１ＡＳＩＣ４にはＶ１−Ｖ２間に静電気保護用ダイオードが内蔵されているので、出力電圧Ｖ２が出力電圧Ｖ１（＞Ｖ２）よりも先に立ち上がるとそのダイオードに大電流が流れてしまうことから、出力電圧Ｖ１を出力電圧Ｖ２よりも先又は同時に供給する必要がある。一方、第２ＡＳＩＣ５はＩ／Ｏ系の電源が出力電圧Ｖ１、ロジック系の電源が出力電圧Ｖ２であるので、ロジック系が不定の状態でＩ／Ｏ系に電圧がかかると貫通電流が流れるおそれがあり、出力電圧Ｖ１を出力電圧Ｖ２よりも同時又は後に供給する必要がある。
【００３４】
このため、２系統出力を有する電源回路１を第１及び第２ＡＳＩＣ４，５の両方の駆動源とする場合、出力電圧Ｖ１，Ｖ２を同時に立ち上げる必要がある。しかし、電源回路１は出力電圧Ｖ１，Ｖ２が同時に立ち上がる構成であるので、電源回路１の出力側に第１ＡＳＩＣ４や第２ＡＳＩＣ５のようなＩＣが接続されていても、上記の不具合が生じない。
【００３５】
従って、この実施形態では以下の効果を得ることができる。
（１）第１ＤＣ−ＤＣコンバータ回路２から出力される出力電圧Ｖ１を同期信号Ｓとして第２ＤＣ−ＤＣコンバータ回路３に入力し、この同期信号Ｓを用いて第２ＤＣ−ＤＣコンバータ回路３の駆動を開始している。従って、第１ＤＣ−ＤＣコンバータ回路２と第２ＤＣ−ＤＣコンバータ回路３との同期をとることができ、これらＤＣ−ＤＣコンバータ回路２，３の各出力電圧Ｖ１，Ｖ２をほぼ同時に立ち上げ及び立ち下げることができる。
【００３６】
（２）第１ＤＣ−ＤＣコンバータ回路２の出力電圧Ｖ１をトランジスタ２８のベースに流し込み、これによりトランジスタ２８をスイッチング制御することで第２ＤＣ−ＤＣコンバータ回路３を同期した状態で駆動することができる。
【００３７】
（３）第１ＡＳＩＣ４と第２ＡＳＩＣ５とを１つの電源回路１からとる場合、出力電圧Ｖ１，Ｖ２を同時に立ち上げないと第１ＡＳＩＣ４に大電流が流れたり、第２ＡＳＩＣ５に貫通電流が流れる等の不具合が生じる。しかし、出力電圧Ｖ１，Ｖ２は同時に立ち上げることが可能であるので、第１ＡＳＩＣ４と第２ＡＳＩＣ５との電源を共有しても上記問題が生じない。
【００３８】
（４）従来技術で述べた構成では、各ＤＣ−ＤＣコンバータ回路の回路定数の違いによって出力電圧の立ち上がりや立ち下がりに無視できないずれが生じる。しかし、第１ＤＣ−ＤＣコンバータ回路２の出力電圧Ｖ１を同期信号Ｓとして第２ＤＣ−ＤＣコンバータ回路３を駆動する構成を用いれば、立ち上がり及び立ち上がりの誤差をなるべく小さくすることができる。
【００３９】
なお、実施形態は前記に限定されず、以下の態様に変更してもよい。
（変形例１）定電圧制御回路４１（２４）はシャントレギュレータ３６（１９）を用いた回路に限定されず、図４に示すように第１ＤＣ−ＤＣコンバータ回路２の＋側出力端子７とＧＮＤとの間にツェナーダイオード４５を接続した構成でもよい。この場合、定電圧制御回路２４，４１の回路構成が簡単なもので済む。
【００４０】
（変形例２）電源回路１は２出力系統に限定されず、コンバータ回路を３つ以上設けて３つ以上の出力系統としてもよい。
（変形例３）第１電圧生成手段はコンバータ回路に限定されず、例えばレギュレータ等の他の電圧生成源を用いてもよい。
【００４１】
（変形例４）第１ＤＣ−ＤＣコンバータ回路２や第２ＤＣ−ＤＣコンバータ回路３は降圧・非絶縁型に限らず、例えば入力よりも出力が高くなる昇圧型やトランスを用いた絶縁型でもよい。
【００４２】
（変形例５）第１ＡＳＩＣ４及び第２ＡＳＩＣ５は、出力電圧Ｖ１，Ｖ２の同期が必要であれば、その種類は特に限定されない。
（変形例６）第２電圧生成手段はＤＣ−ＤＣコンバータ回路３に限定されず、例えばＡＣ−ＤＣ等の他のコンバータ回路を用いてもよい。
【００４３】
（変形例７）スイッチング素子はＮＰＮ型トランジスタ２８に限らず、例えば電圧降下型トランジスタ等の他の素子を用いてもよい。
（変形例８）電源回路１の採用対象はプリンタに限らず、他の機器に用いてもよい。また、この電源回路１は装置の電源基板に搭載されることに限らず、例えばＡＣアダプタ等に用いてもよい。
【００４４】
前記実施形態及び別例から把握できる技術的思想について、以下にその効果とともに記載する。
（１）請求項１〜４のうちいずれかにおいて、前記第２電圧生成手段は降圧型である。この場合、入力電圧よりも低い出力電圧を供給できる。
【００４５】
（２）請求項１〜４、前記技術的思想（１）のうちいずれかにおいて、前記第２電圧生成手段は非絶縁型である。この場合、トランスを用いない構成とすることができ、簡単な構成となる。
【００４６】
（３）請求項１〜４のうちいずれかにおいて、前記第１出力電圧は前記第２出力電圧よりも高い値である。
（４）請求項１〜４のうちいずれかにおいて、前記第１電圧生成手段及び第２電圧生成手段のうち少なくとも一方は直流の入力電圧を値の異なる直流の出力電圧に変圧するＤＣ−ＤＣコンバータである。
【００４７】
（５）請求項５において、前記第２電圧生成手段は前記入力電圧を前記第２出力電圧として出力するためにスイッチング駆動するスイッチング素子を備え、前記同期信号は前記スイッチング素子に入力される。
【００４８】
（６）請求項５又は前記技術的思想（５）において、前記第２電圧生成手段は直流の前記入力電圧をスイッチング駆動により変圧するドライブ回路と、前記ドライブ回路が前記第２出力電圧をするように該ドライブ回路のスイッチング駆動を制御する定電圧制御回路とを備えた非接触型であり、前記ドライブ回路は前記同期信号に基づき駆動する。
【００４９】
（７）請求項５及び前記技術的思想（５），（６）のいずれかにおいて、前記電圧生成回路の出力側に前記電圧生成手段を同一駆動源とする複数の集積回路が接続され、前記集積回路は２つの前記出力電圧が印加される端子間に保護用素子を内蔵した第１集積回路と、２つの前記出力電圧のうち高電圧側がＩ／Ｏ系の電源で低電圧側がロジック系の電源とからなる。
【図面の簡単な説明】
【図１】一実施携帯における電源回路の概略構成図。
【図２】（ａ）は入力電圧ｉｎは波形図、（ｂ）は出力電圧Ｖ１の波形図、（ｃ）は出力電圧Ｖ２の波形図。
【図３】電源回路の回路図。
【図４】別例における第２ＤＣ−ＤＣコンバータ回路の回路図。
【図５】従来における電源回路の概略構成図。
【符号の説明】
１…電源回路、２…第１電圧生成手段（電圧生成手段）としての第１ＤＣ−ＤＣコンバータ回路、３…第２電圧生成手段（電圧生成回路）としての第２ＤＣ−ＤＣコンバータ回路、４…第１集積回路としての第１ＡＳＩＣ、４ａ…保護用素子としての静電気保護用ダイオード、５…第２集積回路としての第２ＡＳＩＣ、３５…ドライブ回路、４１…定電圧制御回路、２８…スイッチング素子としてのトランジスタ、Ｖｉｎ…入力電圧、Ｖ１，Ｖ２…出力電圧、Ｓ…同期信号。
【図１】
2004129333.tif 000003
【図２】
2004129333.tif 000004
【図３】
2004129333.tif 000005
【図４】
2004129333.tif 000006
【図５】
2004129333.tif 000007